(57)【要約】      （修正有）【課題】一つの容器に液体または粉体とうを収納しておき一方の容器に一気に混合することの出来る混合容器を提供する。【解決手段】一方の液体または粉体とうを収納すると共に破断可能な底部を有する第一の容器と。この第一の容器の内口に勘合される、しかも下方に開口しうる第二の容器と。この第一の容器の上部に設置され、第一の容器の低備と容器を維持させる回転式環具と。第一の容器と連結されると共に前記第二の容器を押圧することにより、第一の容器の液体または粉体と混合される内容物を収納した第三の容器とでなした混合部を備えた。【選択図】図８
0003119434.tif 000002
【実用新案登録請求の範囲】
【請求項１】
一方の液体または粉体等を収納すると共に破断可能な底部を有する外側容器と、この外側容器の内口に嵌合されると共にしかも底部が開口可能な内側容器と、この外側容器の上部に設置され、且つ内側容器の低壁と空間を維持させる開封具とで成し、この開封具を外して、内側容器を押圧することにより外側容器の液体又は固体と混合される主内容物を収納した主容器とでなしたことを特徴とした混合容器。
【請求項２】
内側容器の開封環具を持つ事を特徴とする請求項１記載の混合容器。
【請求項３】
内側容器の開封環具部が回転により開封可能な状態にしたことを特徴とする請求項１記載の混合容器。
【請求項４】
外側容器の底部にアルミ箔やプラスチック素材の破断可能な薄膜をもつことを特徴とした密封性を確保する請求項１〜３記載の混合容器。
【請求項５】
外側容器の底部に鋭角状の切断面をもうけ押し下げによって外側容器の底部の薄膜を切断するようにした特徴とした請求項１〜５記載の混合容器。
【請求項６】
開封時は内側容器と外側容器と共に主容器から外れ開封後が解る切断環状具の特徴をもつ請求項１〜５記載の混合容器。
【考案の詳細な説明】
【技術分野】
【０００１】
本考案は、請求１により閉口された状態のキャップ内に粉体又は液体をワンプッシュで注入できる密封封を持ったキャップである。
ペットボトルやビンボトルなどに内容物が入った容器内に、飲むときに別の物を注入する方法として開発しました。又内容物や充填環境によりアルミ箔タイプとプラスチック密封のどちらかを選ぶ事が出来るキャップある。
【背景技術】
【０００２】
従来の方法のキャップとして、例えば特許文献１（特許公開２００４−１０６８８８）に記載されているものが知られているが、底蓋が回り止め部により内筒から脱落するようにしたことを特徴とするボトルキャップとある。
【特許文献１】特開２００４−１０６８８８号公報
【考案の開示】
【考案が解決しようとする課題】
【０００３】
しかし、この方法では脱落した時点で飲食物内に異物が混入した結果となる。このことは誤飲を招くおそれがある。
【０００４】
近年の環境問題でリサイクルを考えたとき、（特許公開２００４−１０６８８８）であればボトルとキャップを分別することが出来なくなる。
【０００５】
（特許公開２００４−１０６８８８）は内筒内に圧力気体を封入して粉体の品質を維持しているが、この場合液体ではこの事を維持できない。
【０００６】
製造コストは商品の拡販を目的にしたときに必要事項であり、ココでは従来のものよりパーツ数を少なくすることによりキャップの製造価格を安価にしている。
【０００７】
脱落と安全、リサイクル、を考慮し不都合を解決することを課題とする。
【課題を解決するための手段】
【０００８】
請求項４の同素材のプラスチックの薄い膜を要する事により脱落を防ぎなおかつリサイクルに適した素材を保持する事により環境に優しい特徴をようする。
【考案の効果】
【０００９】
パーツの単純化によりキャップの製造価格を安価にする。密封性の向上と異物の混入を防ぎ、誤飲をなくす事が出来る。
【考案を実施するための最良の形態】
【００１０】
以下本考案の実施形態を示す図に基づき説明する。
図１は請求項１の混合容器全体の斜視図である。図に示す内側容器１、１は外側容器２、２に収納され開封安全具３、３の位置で止まり誤作動を防ぎ密封性と安全性を保つことが出来る。１と２間にできた空間に液体又は粉体Ｘ、Ｘを収納できる。具体的には図２で示す２の４で蓋をし、密封空間を維持する。又は密封性は密封室の口部、４を熱圧着式アルミ箔８により密封性を向上させる事も出来る。
１と２の嵌合は１ｂと１ｃにより密封性を保持している。密封室をいくつかに間仕切ることにより種類の異なる内容物Ｘを格納できる。
４と８の一部を残すことにより４と８の脱落を防ぎ、２の開封時にはキャップと一緒に主容器１０、１０から出される。
【００１１】
図３はそれを組立てた状態で、（Ａ）は２に１を嵌合しＸを入れ４で密封した状態である。外側筒２ｂの環状ロック爪２ｃは１ｃの逆戻りを防ぐ鍵型の環状具である。環状凹ロック溝２aは１ｃが嵌合する溝で１と２の密封性を保持するものである。（Ｂ）は開封安全具３、３を取り除いたときの断面図で、３の３a部は３b部を指で引っ張り、１に沿いながら円状に引きちぎることが出来る。この事により３が外れ誤作動を防ぐ安全装置は開放され、１を押圧し底部４を破断出来る状態である。
【００１２】
図４は内側容器１，１を押圧した時の断面図で底部４を破断し、Ｘが外に出る所を説明している。１の底部の１aが２底部の４を破断しなおかつ４を押し広げる。２と４の一部は１aの破断具は４を切断せず残すことにより２から脱落することを防いでいる。
図５は異なる実証例の混合容器全体の斜視図で、異なる実証例の内側容器6と異なる実証例の外側容器7が嵌合する前の状態である。
図６は異なる実証例の内側容器6と異なる実証例の外側容器7の断面図である。
【００１３】
図７は異なる実証例を組立てた状態の断面図で（Ｃ）図は６に７が嵌合している状態である。異なる実証例の外側容器降下止め11が異なる実証例の内側容器降下止め12と接触し誤作動を防ぐ補具で６を押圧しても11が12の下方するのを防ぎ４を破断できなくしている図である。異なる実証例の外側容器降下止め11と異なる実証例の内側容器降下止め12は開封安全具を兼ねている。（Ｄ）図は11,12を半回転させ開封安全具を開放した状態にし、６を押圧して７底部の破断可能な４を破断できる状態にしている。
【００１４】
図８は、異なる実証例の内側容器を押し込んだときの断面図で１aが底部４を破断し、Ｘが外に出る所を説明している。１の底部の１aが２底部の４を破断しなおかつ４を押し広げる。２と４の一部は１aの破断具は４を切断せず残すことにより２から脱落することを防いでいる。
図９同実施例の主容器１０にセットした状態の断面図で３の安全具３がある状態である。
図１０は同実施例における内側容器１を押圧し４を破断しＸを主容器１０に入っていく状態の断面図である。１を押圧し４を破断し、Ｘを主内容物9の主容器１０内で混合する時の状態である。
図１１は請求項６の実施例で主容器１０から混合容器を外したときの断面図で外側容器と内側容器は共に主容器１０から取り外せる。混合容器は取り外すとき５が主容器１０に残ることにより開封済みであることが解る混合容器である。
【００１５】
図１２は組立てられた混合容器に内容物Ｘを充填する時の断面図で混合容器の底部を上向きにして上部から粉体又は液体Ｘを充填する。
図１３は請求項４の実施例で内容物Ｘを充填した後に混合容器の底部４を密封する時の破断可能な薄膜１５を熱圧着機により熱圧着する時の断面図である。
図１４は混合容器の切断可能な４が密封された断面図である。
図１５は請求項５の実施例で密封された混合容器が内側容器１により外側容器２切断可能な底部４を切断する直前の状態である。
【００１６】
図１６は内側容器１の１aが押圧され切断可能な４を押し開けて外に向いている状態である。外側容器２の底部４には密封機能の持つアルミ箔の熱圧着加工がなされている他に外側容器２と同じ素材によるプラスチック素材の密封性を持つ外側容器２からなる特徴を持ちアルミ箔の密封性機能及びプラスチック素材の密封性機能は内側容器と外側容器がセットされたときに出来る密封室の密封性を保つ物である。外気の侵入を防ぐ能力を有する。
【実施例】
【００１７】
内側容器と外側容器の密封性はプラスチック素材のいずれかと、内側容器の外層リンクと外側容器の受け口側の溝との勘合により気密性を保持している。内側容器は外側容器の受け口溝の口径に密着し外気の侵入を防いでいる。内側容器と外側容器は上から下へと降下する機能を持ち、それは外側容器の内側溝爪のサイズにより調整されている。内側容器の外層リンクは外側容器の内側溝爪との密封性を保つ機能だけでなく、内側容器が何らかの不可抗力により外側容器から抜けたり、破断可能な密封封を破壊したりしない特徴をも兼ねている。
【産業上の利用可能性】
【００１８】
健康飲料・コーヒー飲料・医薬品・化粧品等の容器のキャップとして使う。
また、２種類または他種類の内容物を使用する寸前に混合したい場合にこのキャップを使う。
【図面の簡単な説明】
【００１９】
【図１】混合容器全体の斜視図である。
【図２】従来例の組立て前の状態図である。
【図３】同上の組立てた後の状態図で、（Ａ）は内側容器の開封安全具の断面図、（Ｂ）は開封安全具を取り除いたときの断面図である。
【図４】内側容器を押し込んだ時の断面図である。
【図５】異なる実証例を示す混合容器全体の斜視図である。
【図６】異なる実証例を示す場合の断面図である。
【図７】同上の組立てた状態図で、（Ｃ）は開封安全具の異なる実証例を示す断面図と、（Ｄ）は押し込み可能な部分に回転したときの断面図である。
【図８】異なる実証例の内側容器を押し込んだときの断面図である。
【図９】同実施例の主容器にセットした状態の断面図である。
【図１０】同実施例における内側容器を押し込んだときの断面図である。
【図１１】主容器から内側容器と外側容器を外したときの断面図である。
【図１２】セットされた内、外側容器に内容物を充填する時の断面図である。
【図１３】内容物を密封する時の熱圧着機と熱圧着時の断面図である。
【図１４】内容物が格納され密封された時の断面図である。
【図１５】内側容器が外側容器の密封封を切断する直前の状態図である。
【図１６】同上のスコアーが内側容器に押されて外に向いている状態図である。
【符号の説明】
【００２０】
１ 内側容器  1ａ 斜カッター  1b 内装筒  1c 環状ロック爪  1d 環状凹溝  ２ 外側容器  2a 環状凹ロック溝  2b 外側筒  2c 環状ロック爪 ３ 開封安全具  3a開封安全具切り口  3b 開封安全具つまみ  3c 開封安全具バンド  3d 環状スコアー  4 プラスチック素材の蓋  5 密封スコアー  6 回転式内側容器  7 回転式外側容器  8 熱圧着式アルミ箔  9 主内容物  10  主容器  11 回転式外側容器降下止め  12 回転式内側容器降下止め  13 アルミ箔  14 原料ホッパー  15 アルミ箔シートロール  Ｈ  Ｘ 内容物（液体またはは粉体）
【図１】
0003119434.tif 000003
【図２】
0003119434.tif 000004
【図３】
0003119434.tif 000005
【図４】
0003119434.tif 000006
【図５】
0003119434.tif 000007
【図６】
0003119434.tif 000008
【図７】
0003119434.tif 000009
【図８】
0003119434.tif 000010
【図９】
0003119434.tif 000011
【図１０】
0003119434.tif 000012
【図１１】
0003119434.tif 000013
【図１２】
0003119434.tif 000014
【図１３】
0003119434.tif 000015
【図１４】
0003119434.tif 000016
【図１５】
0003119434.tif 000017
【図１６】
0003119434.tif 000018
【手続補正書】
【提出日】平成17年9月30日(2005.9.30)
【手続補正１】
【補正対象書類名】実用新案登録請求の範囲
【補正対象項目名】請求項５
【補正方法】変更
【補正の内容】
【請求項５】
外側容器の底部に鋭角状の切断面をもうけ押し下げによって外側容器の底部の薄膜を切断するようにした特徴とした請求項１〜４記載の混合容器。